【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
水道メータの一次側若しくは二次側の共通管部分に設けられた元水抜止水栓と、
この元水抜止水栓の二次側水道管から分岐して家屋内の分岐先にそれぞれ水栓金具が取り付けられた複数の分配管に個別に設けられた複数の水抜栓と、
前記複数の分配管の近傍でそれぞれ気温を検知する複数の気温検知手段と、
前記複数の水栓金具の近傍でそれぞれ明るさを検知する複数の明るさ検知手段と、
前記複数の分配管の近傍でそれぞれ前記複数の水栓金具の不使用時間を検知する複数の不使用時間検知手段と、
前記元水抜止水栓及び前記複数の水抜栓をそれぞれ駆動する複数の駆動部と、
前記複数の気温検知手段、前記複数の明るさ検知手段及び前記複数の不使用時間検知手段からの検知信号に基づいて、所定の気温以下で且つ前記水栓金具の近傍が所定の明るさ以下で前記水栓金具が所定時間以上使用されない時に、前記複数の駆動部を制御して、該所定時間以上使用されない前記水栓金具に対応する前記水抜栓に水抜きを行わせると共に、前記水栓金具の全てが長期に使用されない時には、前記元水抜止水栓に水抜きを行わせる制御手段と
を備えたことを特徴とする水抜きシステム。
【請求項２】
水道メータの一次側若しくは二次側の共通管部分に設けられた元水抜止水栓と、
この元水抜止水栓の二次側水道管から分岐して家屋内の分岐先にそれぞれ水栓金具が取り付けられた複数の分配管に個別に設けられた複数の水抜栓と、
前記複数の水栓金具の近傍でそれぞれ気温を検知する複数の気温検知手段と、
前記複数の水栓金具の近傍でそれぞれ明るさを検知する複数の明るさ検知手段と、
前記元水抜止水栓及び前記複数の水抜栓をそれぞれ駆動する複数の駆動部と、
前記複数の気温検知手段、前記複数の明るさ検知手段及び前記複数の不使用時間検知手段若しくは前記水流停止時間検知手段からの検知信号に基づいて、所定の気温以下で前記水栓金具の近傍が所定の明るさ以下の時に、前記複数の駆動部を制御して、該近傍が所定の明るさ以下の前記水栓金具に対応する前記水抜栓に水抜きを行わせると共に、前記水栓金具の全てが長期に使用されない時には、前記元水抜止水栓に水抜きを行わせる制御手段と
を備えたことを特徴とする水抜きシステム。
【請求項３】
水道メータの一次側若しくは二次側の共通管部分に設けられた元水抜止水栓と、
この元水抜止水栓の二次側水道管から分岐して家屋内の分岐先にそれぞれ水栓金具が取り付けられた複数の分配管に個別に設けられた複数の水抜栓と、
前記複数の分配管の近傍でそれぞれ気温を検知する複数の気温検知手段と、
前記複数の分配管の近傍でそれぞれ前記複数の水栓金具の不使用時間を検知する複数の不使用時間検知手段と、
前記元水抜止水栓及び前記複数の水抜栓をそれぞれ駆動する複数の駆動部と、
前記複数の気温検知手段及び前記複数の不使用時間検知手段からの検知信号に基づいて、所定の気温以下で前記水栓金具が所定時間以上使用されない時に、前記複数の駆動部を制御して、該所定時間以上使用されない前記水栓金具に対応する前記水抜栓に水抜きを行わせると共に、前記水栓金具の全てが長期に使用されない時には、前記元水抜止水栓に水抜きを行わせる制御手段と
を備えたことを特徴とする水抜きシステム。
【請求項４】
請求項１、２または３記載の水抜きシステムにおいて、前記駆動部を電磁弁としたことを特徴とする水抜きシステム。
【請求項５】
請求項１、２、３または４記載の水抜きシステムにおいて、前記長期を数１０時間の長時間、前記所定時間を数時間の短時間としたことを特徴とする水抜きシステム。
【請求項６】
請求項１、２、３、４または５記載の水抜きシステムにおいて、
前記共通管部分に設けられ水流停止時間を検知する水流停止時間検知手段を備え、
前記制御手段は前記水流停止時間検知手段からの検知信号に基づいて、前記共通管部分の水流停止が所定時間以上となった場合に前記元水抜止水栓に水抜きを行わせる
ことを特徴とする水抜きシステム。
【手続補正２】
【補正対象書類名】明細書
【補正対象項目名】０００７
【補正方法】変更
【補正の内容】
【０００７】
【課題を解決するための手段】
上記目的を達成するため、請求項１に係る発明は、水道メータの一次側若しくは二次側の共通管部分に設けられた元水抜止水栓と、この元水抜止水栓の二次側水道管から分岐して家屋内の分岐先にそれぞれ水栓金具が取り付けられた複数の分配管に個別に設けられた複数の水抜栓と、前記複数の分配管の近傍でそれぞれ気温を検知する複数の気温検知手段と、前記複数の水栓金具の近傍でそれぞれ明るさを検知する複数の明るさ検知手段と、前記複数の分配管の近傍でそれぞれ前記複数の水栓金具の不使用時間を検知する複数の不使用時間検知手段と、前記元水抜止水栓及び前記複数の水抜栓をそれぞれ駆動する複数の駆動部と、前記複数の気温検知手段、前記複数の明るさ検知手段及び前記複数の不使用時間検知手段からの検知信号に基づいて、所定の気温以下で且つ前記水栓金具の近傍が所定の明るさ以下で前記水栓金具が所定時間以上使用されない時に、前記複数の駆動部を制御して、該所定時間以上使用されない前記水栓金具に対応する前記水抜栓に水抜きを行わせると共に、前記水栓金具の全てが長期に使用されない時には、前記元水抜止水栓に水抜きを行わせる制御手段とを備えたものである。
【手続補正３】
【補正対象書類名】明細書
【補正対象項目名】０００８
【補正方法】変更
【補正の内容】
【０００８】
請求項２に係る発明は、水道メータの一次側若しくは二次側の共通管部分に設けられた元水抜止水栓と、この元水抜止水栓の二次側水道管から分岐して家屋内の分岐先にそれぞれ水栓金具が取り付けられた複数の分配管に個別に設けられた複数の水抜栓と、前記複数の水栓金具の近傍でそれぞれ気温を検知する複数の気温検知手段と、前記複数の水栓金具の近傍でそれぞれ明るさを検知する複数の明るさ検知手段と、前記元水抜止水栓及び前記複数の水抜栓をそれぞれ駆動する複数の駆動部と、前記複数の気温検知手段、前記複数の明るさ検知手段及び前記複数の不使用時間検知手段若しくは前記水流停止時間検知手段からの検知信号に基づいて、所定の気温以下で前記水栓金具の近傍が所定の明るさ以下の時に、前記複数の駆動部を制御して、該近傍が所定の明るさ以下の前記水栓金具に対応する前記水抜栓に水抜きを行わせると共に、前記水栓金具の全てが長期に使用されない時には、前記元水抜止水栓に水抜きを行わせる制御手段とを備えたものである。
【手続補正４】
【補正対象書類名】明細書
【補正対象項目名】０００９
【補正方法】変更
【補正の内容】
【０００９】
請求項３に係る発明は、水道メータの一次側若しくは二次側の共通管部分に設けられた元水抜止水栓と、この元水抜止水栓の二次側水道管から分岐して家屋内の分岐先にそれぞれ水栓金具が取り付けられた複数の分配管に個別に設けられた複数の水抜栓と、前記複数の分配管の近傍でそれぞれ気温を検知する複数の気温検知手段と、前記複数の分配管の近傍でそれぞれ前記複数の水栓金具の不使用時間を検知する複数の不使用時間検知手段と、前記元水抜止水栓及び前記複数の水抜栓をそれぞれ駆動する複数の駆動部と、前記複数の気温検知手段及び前記複数の不使用時間検知手段からの検知信号に基づいて、所定の気温以下で前記水栓金具が所定時間以上使用されない時に、前記複数の駆動部を制御して、該所定時間以上使用されない前記水栓金具に対応する前記水抜栓に水抜きを行わせると共に、前記水栓金具の全てが長期に使用されない時には、前記元水抜止水栓に水抜きを行わせる制御手段とを備えたものである。
【手続補正５】
【補正対象書類名】明細書
【補正対象項目名】００１２
【補正方法】変更
【補正の内容】
【００１２】
請求項６に係る発明は、請求項１、２、３、４または５記載の水抜きシステムにおいて、前記共通管部分に設けられ水流停止時間を検知する水流停止時間検知手段を備え、前記制御手段は前記水流停止時間検知手段からの検知信号に基づいて、前記共通管部分の水流停止が所定時間以上となった場合に前記元水抜止水栓に水抜きを行わせるものである。
【手続補正６】
【補正対象書類名】明細書
【補正対象項目名】００４８
【補正方法】変更
【補正の内容】
【００４８】
請求項２に係る発明によれば、上記構成により、水の凍結による水栓金具及び水道管の破裂を確実に防止することができ、複数の水抜栓のいずれかが故障しても、全ての水栓金具及び水道管の水の凍結による破裂や水びたし等を防ぐことができる。
また、日常は個々の水抜栓を無駄無く制御することができ、水栓金具の長期不使用時は元水抜止水栓で水抜きを行って個々の水栓に故障が出てもカバーできる。
【手続補正７】
【補正対象書類名】明細書
【補正対象項目名】００４９
【補正方法】変更
【補正の内容】
【００４９】
請求項３に係る発明によれば、上記構成により、水の凍結による水栓金具及び水道管の破裂を確実に防止することができ、複数の水抜栓のいずれかが故障しても、全ての水栓金具及び水道管の水の凍結による破裂や水びたし等を防ぐことができる。
また、日常は個々の水抜栓を無駄無く制御することができ、水栓金具の長期不使用時は元水抜止水栓で水抜きを行って個々の水栓に故障が出てもカバーできる。